(57)【要約】【課題】周枠を利用して構造強度を高める六角形状シェルフを提供する。【解決手段】組立て式シェルフ構造は、所定数の棚板１０、帯状接続部２０及び周枠３０を備える。棚板１０は矩形状板である。帯状接続部２０は、前端部から末端部へかけて縦向きに形成された３つの挟持溝２１を有し、周側に設けられた各挟持溝２１の交差間には、長尺状の凹部２２が形成され、凹部２２内には、軸方向に対して垂直に延伸プレート２３が適宜間隔をおいて立設され、延伸プレート２３は、挟持、押圧のために用いる。周枠３０は、折り曲げて六角形状に形成されるとともに、角部により各帯状接続部２０の凹部２２にそれぞれ噛合され、周枠３０により各帯状接続部２０の対応した内側間が延伸プレート２３とスムーズに当接される。【選択図】図２
0003192570.tif 000002
【実用新案登録請求の範囲】
【請求項１】
所定数の棚板、帯状接続部及び周枠を備える組立て式シェルフ構造であって、
上記棚板は、矩形状板であり、
上記帯状接続部は、前端部から末端部へかけて縦向きに形成された３つの挟持溝を有し、周側に設けられた各挟持溝の交差間には、長尺状の凹部が形成され、凹部内には、軸方向に対して垂直に延伸プレートが適宜間隔をおいて立設され、延伸プレートは、挟持、押圧のために用い、
上記周枠は、折り曲げて六角形状に形成されるとともに、角部により各帯状接続部の凹部にそれぞれ噛合され、周枠により各帯状接続部の対応した内側間が延伸プレートとスムーズに当接され、帯状接続部の挟持溝を利用して棚板が辺縁に挿設されると、各棚板と各帯状接続部との組み合わせにより六角形状シェルフが形成される上、棚板を挿着する引き込み力により、周枠に帯状接続部が挟着されることを特徴とする組立て式シェルフ構造。
【請求項２】
前記六角形状シェルフには、周枠が組み合わされて使用され、周枠により六角形状シェルフの内部と後端上の延伸プレートとが密着されることを特徴とする請求項１に記載の組立て式シェルフ構造。
【請求項３】
前記六角形状シェルフには、２つの周枠が組み合わされて使用され、２つの周枠により六角形状シェルフの内部と前後端上の延伸プレートとを密着させることを特徴とする請求項１に記載の組立て式シェルフ構造。
【請求項４】
前記棚板の表面は封止されていることを特徴とする請求項１に記載の組立て式シェルフ構造。
【請求項５】
前記棚板の表面には、多数の中空部が形成されていることを特徴とする請求項１に記載の組立て式シェルフ構造。
【請求項６】
前記六角形状シェルフは、多数の接続部材を介し、シェルフの後方に裏板が取り付けられていることを特徴とする請求項１に記載の組立て式シェルフ構造。
【請求項７】
前記六角形状シェルフは、多数の接続部材を介し、シェルフの内部に隔板が取り付けられていることを特徴とする請求項１に記載の組立て式シェルフ構造。
【請求項８】
前記棚板の前後部には、上下方へ延びた補強片が延設され、
補強片の側端には、凹部が形成されていることを特徴とする請求項１に記載の組立て式シェルフ構造。
【請求項９】
前記帯状接続部の前後端の延伸プレートには、穿孔が形成されていることを特徴とする請求項１に記載の組立て式シェルフ構造。
【請求項１０】
前記棚板は、収納する物に応じてシェルフのサイズ、深さ及び容積を変更し、様々な所定規格を満たすように製作可能なことを特徴とする請求項１に記載の組立て式シェルフ構造。
【考案の詳細な説明】
【技術分野】
【０００１】
本考案は、組立て式シェルフ構造に関し、特に、周枠を利用して構造強度を高める六角形状シェルフに関する。
【背景技術】
【０００２】
従来のシェルフは、溶接方式又は螺着方式により金属フレームを結合して一体化し、金属フレーム間に受板を水平固着し、一体化した構造が非常に堅牢な作りとなっているが、占有体積が大きい上、容易に分解することができないため、運搬及び保管が容易でなく、大きな空間及び材料面積を占有した。特に、シェルフを分解することができないため、その他の形状に組立てるために、空間又はレイアウトを変更する場合、シェルフ構造が使用できなくなることがあった。
【考案の概要】
【考案が解決しようとする課題】
【０００３】
本考案の第１の目的は、周枠を利用することにより構造の強度を高めて六角形状シェルフ構造の耐荷重を大きくして支持することができる上、周枠を利用し、六角形状シェルフ構造を壁又はキャビネットのドアパネル上に取り付けて吊り下げることもできる組立て式シェルフ構造を提供することにある。
本考案の第２の目的は、シェルフ構造を使用しないとき、迅速に分解し、体積を適切に小型化することにより、運搬及び保管が便利になるだけでなく、占有空間を大幅に減らすこともできる組立て式シェルフ構造を提供することにある。
本考案の第３の目的は、組立てる際、工具を使用せずに完成させることができる上、ネジの締め付けに時間がかかる問題点を改善し、便利に使用することができる組立て式シェルフ構造を提供することにある。
本考案の第４の目的は、棚板及び帯状接続部を共用することができるため、空間又は見た目の必要に応じ、シェルフ構造を分解して任意の形状に形成し、使用の融通性が高くなる上、シェルフ構造が空間又はレイアウトの変化により使用できなくなることがない組立て式シェルフ構造を提供することにある。
【図面の簡単な説明】
【０００４】
【図１】本考案の第１実施形態に係る組立て式シェルフ構造を示す斜視図である。
【図２】本考案の第１実施形態に係る組立て式シェルフ構造を示す分解斜視図である。
【図３】本考案の第１実施形態に係る組立て式シェルフ構造を示す断面図である。
【図４】図３の部分拡大図である。
【図５】本考案の第２実施形態に係る組立て式シェルフ構造を示す斜視図である。
【図６】本考案の第２実施形態に係る組立て式シェルフ構造を示す斜視図である。
【図７】本考案の第３実施形態に係る組立て式シェルフ構造を示す分解斜視図である。
【図８】本考案の第４実施形態に係る組立て式シェルフ構造を示す斜視図である。
【図９】図９は、本考案の第４実施形態に係る組立て式シェルフ構造を示す分解斜視図である。
【図１０】本考案の第４実施形態に係る組立て式シェルフ構造を示す断面図である。
【図１１】本考案の一実施形態に係る組立て式シェルフ構造の使用状態を示す斜視図である。
【図１２】本考案の一実施形態に係る組立て式シェルフ構造の使用状態を示す平面図である。
【図１３】本考案の一実施形態に係る組立て式シェルフ構造の使用状態の説明図である。
【考案を実施するための形態】
【０００５】
まず、図１〜図４を参照する。図１〜図４に示すように、本考案の一実施形態に係る組立て式シェルフ構造は、所定数の棚板１０、帯状接続部２０及び周枠３０を含む。棚板１０は、矩形状板であり、収納する物に応じてシェルフのサイズ、深さ及び容積が変更可能で所定規格を満たすように製作される。帯状接続部２０上には、前端部から末端部へかけて縦向きに形成された３つの挟持溝２１が人型状に形成され、周側に設けられた各挟持溝２１の交差間には、長尺状の凹部２２が形成されている。凹部２２内には、軸方向に対して垂直に立設され、多数の延伸プレート２３が適宜間隔をおいて配設されている。延伸プレート２３は、挟持、押圧のために用い、周枠３０は、金属杆材又は金属線材を一緒に折り曲げて形成され、周枠３０を六角形状に形成する。
【０００６】
図１、図３及び図４を参照する。図１、図３及び図４に示すように、周枠３０は、その角部により各帯状接続部２０の凹部２２にそれぞれ噛合される。周枠３０により各帯状接続部２０の対応した内側間が延伸プレート２３とスムーズに当接され、帯状接続部２０の挟持溝２１を利用して棚板１０が辺縁に挿設されると、各棚板１０と各帯状接続部２０との組み合わせにより六角形状シェルフが形成される上、棚板１０を挿着する引き込み力により、周枠３０に帯状接続部２０が挟着される。
【０００７】
本考案の一実施形態に係る組立て式シェルフ構造の六角形状シェルフには、周枠３０が組み合わされて使用され、周枠３０により六角形状シェルフの内部と後端上の延伸プレート２３とが密着される。
【０００８】
本考案の一実施形態に係る組立て式シェルフ構造の六角形状シェルフには、２つの周枠３０が組み合わされて使用され、周枠３０により六角形状シェルフの内部と前端・後端上の延伸プレート２３とが密着される。
【０００９】
本考案の一実施形態に係る組立てシェルフ構造の棚板１０の表面は封止されている（図１及び図２を参照）。
【００１０】
本考案の一実施形態に係る組立てシェルフ構造の棚板１００の表面には、多数の中空部１１が形成されている（図５及び図６を参照）。
【００１１】
本考案の一実施形態に係る組立てシェルフ構造の棚板１００は、表面に多数の中空部１１が形成された金属枠体である。
【００１２】
本考案の一実施形態に係る組立てシェルフ構造の六角形状シェルフ上には、表面が封止された物と、表面に多数の中空部１１が形成された物とが混合使用された棚板１０，１００である（図５及び図６を参照）。
【００１３】
本考案の一実施形態に係る組立てシェルフ構造の六角形状シェルフには、多数の接続部材４０を介し、シェルフ構造の後方に裏板５０が取り付けられている（図７参照）。
【００１４】
本考案の一実施形態に係る組立てシェルフ構造の六角形状シェルフには、多数の接続部材４０を介し、シェルフ構造の内部に隔板６０が取り付けられている（図８〜１０参照）。
【００１５】
本考案の一実施形態に係る組立て式シェルフ構造の棚板１０の前後部には、上下方へ延びた補強片１２が延設されている。補強片１２の側端には、組立てシェルフ構造の構造強度を大幅に高めるために、帯状接続部２０の延伸プレート２３を逃がすために用いる凹部１３に（図８〜図１０を参照）補強片１２が挿設されている。
【００１６】
本考案の一実施形態に係る組立て式シェルフ構造の帯状接続部２０の前後端上の延伸プレート２３には、穿孔２４が形成されている（図８〜図１０を参照）。穿孔２４に挿設されて互いに隣接した２つのシェルフ構造間が水平に固定されている。
【００１７】
実際に使用する際、帯状接続部２０により支持し、シェルフ構造は何れかの平面上に自在に設置し、棚板１０，１００と周枠３０とにより囲んで形成したシェルフ構造内部に物を入れて収納することより周囲の環境を清潔に保つことができる。棚板１０，１００と帯状接続部２０とが共用されるため、空間又は見た目の必要に応じ、シェルフを分解して任意の形状に形成することができる（図１１及び図１２参照）。使用の融通性が高いため、空間又はレイアウトの変化に応じてシェルフ構造を変化させなくとも、間隔をおいて設けられた２つのシェルフ構造の挟持溝２１中に位置規制フレーム７０を挿設させ、２つのシェルフ構造が上方へ畳まれると、物品の重さにより外側に開いて分離される。
【００１８】
上述したことから分かるように、本考案の組立て式シェルフ構造は、以下（１）〜（４）の長所を有する。
（１）周枠により補強されて強度が高いため、六角形状シェルフ構造の耐荷重が大きくなって支持することができる上、周枠を利用し、六角形状シェルフ構造を壁又はキャビネットのドアパネル上に取り付けて吊り下げることができる。
（２）シェルフ構造を使用しないとき、迅速に分解し、体積を適切に小型化することにより、運搬及び保管が便利になるだけでなく、占有空間を大幅に減らすこともできる。
（３）組立てる際、工具を使用せずに完成させることができる上、ネジの締め付けが遅くなる問題点を改善し、便利に使用することができる。
（４）棚板及び帯状接続部を共用することができるため、空間又は見た目の必要に応じ、シェルフ構造を分解して任意の形状に形成し、使用の融通性が高くなる上、シェルフ構造が空間又はレイアウトの変化により使用し続けることができなくなる虞がない。
【符号の説明】
【００１９】
１０  棚板
１１  中空部
１２  補強片
１３  凹部
２０  帯状接続部
２１  挟持溝
２２  凹部
２３  延伸プレート
２４  穿孔
３０  周枠
４０  接続部材
５０  裏板
６０  隔板
７０  位置規制フレーム
１００  棚板
【図１】
0003192570.tif 000003
【図２】
0003192570.tif 000004
【図３】
0003192570.tif 000005
【図４】
0003192570.tif 000006
【図５】
0003192570.tif 000007
【図６】
0003192570.tif 000008
【図７】
0003192570.tif 000009
【図８】
0003192570.tif 000010
【図９】
0003192570.tif 000011
【図１０】
0003192570.tif 000012
【図１１】
0003192570.tif 000013
【図１２】
0003192570.tif 000014
【図１３】
0003192570.tif 000015